(57)【要約】【課題】面実装時にハンダフィレットを適切に形成することができ、もって検査などの容易化を図ることが可能なチップ抵抗器を提供する。【解決手段】チップ状の抵抗体１と、この抵抗体１の表裏いずれかの片面１０ａに一定方向において間隔を隔てて設けられた複数の電極３と、を備えているチップ抵抗器Ａ１であって、抵抗体１の上記一定方向における両端面１０ｄには、ハンダ層４が形成されている。【選択図】  図１
2004186541.tif 000002
【特許請求の範囲】
【請求項１】
チップ状の抵抗体と、この抵抗体の表裏いずれかの片面に一定方向において間隔を隔てて設けられた複数の電極と、を備えているチップ抵抗器であって、
上記抵抗体の上記一定方向における両端面には、ハンダ層が形成されていることを特徴とする、チップ抵抗器。
【請求項２】
上記ハンダ層は、上記抵抗体の両端面の全体を覆っている、請求項１に記載のチップ抵抗器。
【請求項３】
上記抵抗体の上記片面のうち、上記複数の電極間の領域を覆う第１の絶縁層をさらに備えている、請求項１または２に記載のチップ抵抗器。
【請求項４】
上記各電極の厚みは、上記第１の絶縁層の厚みよりも大きくされている、請求項３に記載のチップ抵抗器。
【請求項５】
上記各電極上には、上記ハンダ層と一体または別体のハンダ層が形成されている、請求項１ないし４のいずれかに記載のチップ抵抗器。
【請求項６】
上記抵抗体の上記片面とは反対の面を覆う第２の絶縁層をさらに備えている、請求項１ないし５のいずれかに記載のチップ抵抗器。
【請求項７】
上記抵抗体の一対の側面を覆う第３の絶縁層をさらに備えている、請求項１ないし６のいずれかに記載のチップ抵抗器。
【請求項８】
バー状の抵抗体材料の表裏いずれかの片面に、この抵抗体材料の短手方向に間隔を隔てて並んだ複数の電極形成用の導電層が設けられ、かつ上記抵抗体材料の長手方向に延びる一対の側面にハンダ層が形成されたバー状の抵抗器集合体を作製する工程と、
上記抵抗器集合体をその長手方向の複数箇所において切断することにより、複数のチップ抵抗器に分割する工程と、
を有していることを特徴とする、チップ抵抗器の製造方法。
【請求項９】
チップ状の抵抗体の表裏いずれかの片面に、一定方向において間隔を隔てた複数の電極が形成されているとともに、上記抵抗体のうちの上記一定方向における両端面を部分的に露出させるように上記抵抗体を覆う絶縁層を備えているハンダ層未形成のチップ抵抗器を作製する工程と、
上記抵抗体の両端面にハンダ層を形成する工程と、
を有していることを特徴とする、チップ抵抗器の製造方法。
【請求項１０】
上記ハンダ層未形成のチップ抵抗器を複数作製しておき、かつ上記ハンダ層を形成する工程においては、バレルメッキ処理により上記複数のハンダ層未形成のチップ抵抗器に対して上記ハンダ層を一括して形成する、請求項９に記載のチップ抵抗器の製造方法。
【請求項１１】
上記ハンダ層未形成のチップ抵抗器を作製する工程は、
バー状の抵抗体材料の表裏いずれかの片面に、この抵抗体材料の長手方向に間隔を隔てて並んだ複数の電極形成用の導電層が設けられ、かつ上記抵抗体材料の長手方向に延びる一対の側面および上記片面とは反対の面に絶縁層が形成されたバー状の抵抗器集合体を作製する工程と、
上記抵抗器集合体をその長手方向の複数箇所において切断する工程と、
を含んでいる、請求項９または１０に記載のチップ抵抗器の製造方法。
【請求項１２】
上記バー状の抵抗器集合体を作製する工程は、抵抗体材料となるプレートの片面に上記各電極となる導電層を設ける工程と、上記プレートを上記バー状の抵抗体材料に分割する工程と、を含んでいる、請求項８または１１に記載のチップ抵抗器の製造方法。
【請求項１３】
上記バー状の抵抗器集合体を作製する工程は、複数の板状部を有する導電性部材からなるフレームを準備し、かつ上記各板状部を上記バー状の抵抗体材料として、その片面上に上記各電極となる導電層を設ける工程を含んでいる、請求項８または１１に記載のチップ抵抗器の製造方法。
【発明の詳細な説明】
【０００１】
【発明の属する技術分野】
本願発明は、チップ抵抗器およびその製造方法に関する。
【０００２】
【従来の技術】
従来のチップ抵抗器の一例としては、図１５に示すようなものがある（特許文献１参照）。図示されたチップ抵抗器Ｂは、金属製のチップ状の抵抗体９０の下面９０ｂに、一対の電極９１が空隙部９３を介して離間して設けられた構成を有している。各電極９１の下面にはハンダ層９２が形成されている。
【０００３】
このチップ抵抗器Ｂは、図１６に示すような方法により製造される。まず、同図（ａ）に示すように、抵抗体９０および電極９１のそれぞれの材料として、２枚の金属板９０’，  ９１’を準備し、同図（ｂ）に示すように、金属板９０’の下面に金属板９１’を重ね合わせて接合する。次いで、同図（ｃ）に示すように、金属板９１’の一部を機械加工によって切削し、空隙部９３を形成する。その後は、同図（ｄ）に示すように、金属板９１’の下面にハンダ層９２’を形成してから、同図（ｅ）に示すように、金属板９０’，  ９１’を切断する。このことにより、チップ抵抗器Ｂが製造される。
【０００４】
【特許文献１】
特開２００２−５７００９号公報（図１，図３）
【０００５】
【発明が解決しようとする課題】
一般的には、チップ抵抗器を所望の回路に組み込んで製品を製造する場合、このチップ抵抗器の実装が適切になされているか否かの検査が行なわれる。この場合、チップ抵抗器のハンダ付けが適切になされているか否かの判断を、外部からの観察によって行なえるようにすることが好ましい。このためには、実装に用いられるハンダの一部がチップ抵抗器の抵抗体の端面に付着したハンダフィレットとして形成されることが望まれる。このようにすると、ハンダフィレットの存在が確認されたときには、チップ抵抗器の実装が適切である可能性が高く、また反対にハンダフィレットの存在が確認できないときにはチップ抵抗器の実装が不適切である可能性が高いと判断することができる。
【０００６】
これに対し、上記したチップ抵抗器Ｂにおいては、各電極９１の下面にハンダ層９２が形成されているものの、このハンダ層９２が設けられているだけでは、ハンダフィレットを形成することが困難な場合がある。チップ抵抗器Ｂをハンダリフローの手法により所望箇所に面実装する際には、各電極９１の接合対象となる部分に予めクリームハンダが塗布されるものの、その塗布量が不足気味であると、適切なハンダフィレットは形成されない。したがって、従来においては、ハンダフィレットの有無によってチップ抵抗器Ｂの面実装が適正か否かを判断することができず、不便であった。また、従来においては、ハンダフィレットが形成されない分だけ、ハンダの接合強度が劣る場合もあった。
【０００７】
本願発明は、上記した事情のもとで考え出されたものであって、面実装時にハンダフィレットを適切に形成することができ、もって検査などの容易化を図ることが可能なチップ抵抗器を提供することを課題としている。また、本願発明は、そのようなチップ抵抗器を効率良く、かつ適切に製造することが可能なチップ抵抗器の製造方法を提供することを他の課題としている。
【０００８】
【発明の開示】
上記の課題を解決するため、本願発明では、次の技術的手段を講じている。
【０００９】
本願発明の第１の側面によって提供されるチップ抵抗器は、チップ状の抵抗体と、この抵抗体の表裏いずれかの片面に一定方向において間隔を隔てて設けられた複数の電極と、を備えているチップ抵抗器であって、上記抵抗体の上記一定方向における両端面には、ハンダ層が形成されていることを特徴としている。
【００１０】
このような構成によれば、チップ抵抗器の実装時には、上記ハンダ層を利用して抵抗体の両端面に接合するハンダフィレットを形成することが可能となる。したがって、ハンダフィレットの有無に基づいてチップ抵抗器の実装の適否を容易に判断することができる。また、上記ハンダフィレットの存在により、チップ抵抗器のハンダ接合強度が高まるとともに、チップ抵抗器への通電時に発生する熱が上記ハンダフィレットを介して実装基板に伝わり易くなり、チップ抵抗器の温度上昇を抑制する効果も期待できる。
【００１１】
本願発明の好ましい実施の形態においては、上記ハンダ層は、上記抵抗体の両端面の全体を覆っている。このような構成によれば、ハンダフィレットのボリュームを大きくするのに好適となる。
【００１２】
本願発明の好ましい実施の形態においては、上記抵抗体の上記片面のうち、上記複数の電極間の領域を覆う第１の絶縁層をさらに備えている。このような構成によれば、抵抗体の上記電極間領域にハンダが不当に付着して、抵抗値に大きな誤差が発生するといったことが適切に防止される。また、第１の絶縁層により複数の電極間距離を正確に規定することも可能となり、目標抵抗値に対する実際の電極間抵抗値の誤差を少なくすることができる。
【００１３】
本願発明の好ましい実施の形態においては、上記各電極の厚みは、上記第１の絶縁層の厚みよりも大きくされている。このような構成によれば、上記第１の絶縁層から上記各電極が突出した状態となり、この突出部分にハンダを適切に付着させることができる。
【００１４】
本願発明の好ましい実施の形態においては、上記各電極上には、上記ハンダ層と一体または別体のハンダ層が形成されている。このような構成によれば、上記各電極へのハンダ付着性が良好となる。
【００１５】
本願発明の好ましい実施の形態においては、上記抵抗体の上記片面とは反対の面を覆う第２の絶縁層をさらに備えている。このような構成によれば、上記抵抗体の絶縁保護を図るのにより好適となる。
【００１６】
本願発明の好ましい実施の形態においては、上記抵抗体の一対の側面を覆う第３の絶縁層をさらに備えている。このような構成によれば、上記抵抗体の一対の側面にハンダが不当に付着することが無くなり、抵抗体へのハンダの不当な付着に起因して抵抗値に誤差が生じることをより確実に防止することができる。
【００１７】
本願発明の第２の側面により提供されるチップ抵抗器の製造方法は、バー状の抵抗体材料の表裏いずれかの片面に、この抵抗体材料の短手方向に間隔を隔てて並んだ複数の電極形成用の導電層が設けられ、かつ上記抵抗体材料の長手方向に延びる一対の側面にハンダ層が形成されたバー状の抵抗器集合体を作製する工程と、上記抵抗器集合体をその長手方向の複数箇所において切断することにより、複数のチップ抵抗器に分割する工程と、を有していることを特徴としている。
【００１８】
このような構成によれば、本願発明の第１の側面によって提供されるチップ抵抗器を効率良く、かつ適切に製造することができる。とくに、上記ハンダ層の形成は、複数個分のチップ抵抗器に相当する抵抗器集合体に対して一括して行なっているために、その作業効率がよい。
【００１９】
本願発明の第３の側面によって提供されるチップ抵抗器の製造方法は、チップ状の抵抗体の表裏いずれかの片面に、一定方向において間隔を隔てた複数の電極が形成されているとともに、上記抵抗体のうちの上記一定方向における両端面を部分的に露出させるように上記抵抗体を覆う絶縁層を備えているハンダ層未形成のチップ抵抗器を作製する工程と、上記抵抗体の両端面にハンダ層を形成する工程と、を有していることを特徴としている。
【００２０】
このような構成によっても、本願発明の第１側面によって提供されるチップ抵抗器を適切に製造することができる。
【００２１】
本願発明の好ましい実施の形態においては、上記ハンダ層未形成のチップ抵抗器を複数作製しておき、かつ上記ハンダ層を形成する工程においては、バレルメッキ処理により上記複数のハンダ層未形成のチップ抵抗器に対して上記ハンダ層を一括して形成する。このような構成によれば、複数のチップ抵抗器のそれぞれに対するハンダ層の形成作業が一括して行なわれるために、生産効率が良好となる。
【００２２】
本願発明の好ましい実施の形態においては、上記ハンダ層未形成のチップ抵抗器を作製する工程は、バー状の抵抗体材料の表裏いずれかの片面に、この抵抗体材料の長手方向に間隔を隔てて並んだ複数の電極形成用の導電層が設けられ、かつ上記抵抗体材料の長手方向に延びる一対の側面および上記片面とは反対の面に絶縁層が形成されたバー状の抵抗器集合体を作製する工程と、上記抵抗器集合体をその長手方向の複数箇所において切断する工程とを含んでいる。このような構成によれば、上記絶縁層の形成を、複数個分のチップ抵抗器に相当する抵抗器集合体に対して一括して行なっているために、その作業効率がよい。
【００２３】
本願発明の好ましい実施の形態においては、上記バー状の抵抗器集合体を作製する工程は、抵抗体材料となるプレートの片面に上記各電極となる導電層を設ける工程と、上記プレートを上記バー状の抵抗体材料に分割する工程とを含んでいる。このような構成によれば、１つのプレートから多数個のチップ抵抗器を製造することが可能となり、生産性が良い。
【００２４】
本願発明の好ましい実施の形態においては、上記バー状の抵抗器集合体を作製する工程は、複数の板状部を有する導電性部材からなるフレームを準備し、かつ上記各板状部を上記バー状の抵抗体材料として、その片面上に上記各電極となる導電層を設ける工程を含んでいる。このような構成によれば、１つのフレームから多数個のチップ抵抗器の製造が可能であり、やはり生産性を良くすることができる。
【００２５】
本願発明のその他の特徴および利点については、以下に行う発明の実施の形態の説明から、より明らかになるであろう。
【００２６】
【発明の実施の形態】
以下、本願発明の好ましい実施の形態について、図面を参照しつつ具体的に説明する。
【００２７】
図１〜図３は、本願発明に係るチップ抵抗器の一例を示している。図１および図２によく表われているように、本実施形態のチップ抵抗器Ａ１は、抵抗体１、第１および第２の絶縁層２Ａ，２Ｂ、一対の電極３、および一対のハンダ層４を具備している。
【００２８】
抵抗体１は、各部の厚みが一定の矩形チップ状であり、金属製である。その具体的な材質としては、Ｎｉ−Ｃｕ系合金、Ｃｕ−Ｍｎ系合金、Ｎｉ−Ｃｒ系合金などが挙げられるが、これらに限定されるものではなく、チップ抵抗器Ａ１のサイズと目標抵抗値に見合った抵抗率をもつものを適宜選択すればよい。
【００２９】
第１および第２の絶縁層２Ａ，２Ｂは、いずれもエポキシ樹脂系などの樹脂膜であり、後述するように厚膜印刷により形成されたものである。第１の絶縁層２Ａは、抵抗体１の裏面１０ａのうち、一対の電極３間の領域の全体を覆うように設けられている。第２の絶縁層２Ｂは、抵抗体１の表面１０ｂの全体を覆うように設けられている。
【００３０】
一対の電極３は、抵抗体１の裏面１０ａに設けられており、第１の絶縁層２Ａを挟むようにして一対の側面１０ｃが延びるｘ方向に離間している。これら一対の電極３は、後述するように、たとえば銅メッキ処理により形成されたものである。各電極３は、第１の絶縁層２Ａのｘ方向の端面２０との間に隙間が生じないように端面２０に接している。このことにより、一対の電極３の間隔は、第１の絶縁層２Ａによって規定されており、絶縁層２Ａの幅ｓ１と同一の寸法となっている。図１、図２および後述する図５，図６においては、電極３やハンダ層４の端部を概略的に示しているが、これら電極３やハンダ層４はメッキにより形成されているために、実際には、図３の符号ｎ１で示すように、それらの一部分は第１の絶縁層２Ａ上にオーバラップしている。ただし、このオーバラップしている部分自体は、抵抗体１の裏面１０ａに直接接触している訳ではないため、抵抗体１の電極間抵抗値に誤差を生じさせる要因にはならない。したがって、上記オーバラップの量が比較的大きくなっていてもかまわない。各電極３の厚みｔ１は、第１の絶縁層２Ａの厚みｔ２よりも大きくされており、各電極３は、第１の絶縁層２Ａの下面よりも下方に突出している。
【００３１】
一対のハンダ層４のそれぞれは、側面視Ｌ字状であり、抵抗体１のｘ方向における両端面１０ｄのそれぞれの全体を覆う部分と、各電極３の下面の全体を覆う部分とが一体的に繋がった構造を有している。このハンダ層４の材質は、とくに限定されるものではなく、電子部品の実装に用いられる種々の材質とすることができる。
【００３２】
上記各部の厚みの一例を挙げると、第１および第２の絶縁層２Ａ，２Ｂがそれぞれ２０μｍ程度、各電極３が３０μｍ程度、各ハンダ層４が５μｍ程度である。抵抗体１については、その厚みが０．１ｍｍ〜１ｍｍ程度、縦および横の寸法はそれぞれ２ｍｍ〜７ｍｍ程度である。ただし、この抵抗体１のサイズについては、目標抵抗値の大きさに応じて種々に変更されることは言うまでもない。また、このチップ抵抗器Ａ１は、０．５ｍΩ〜１００ｍΩ程度の低抵抗のものとして構成されている。チップ抵抗器Ａ１の電極間抵抗は、抵抗体１の抵抗率、電極３間の距離、および抵抗体１の厚みにより決定される。
【００３３】
次に、上記したチップ抵抗器Ａ１の製造方法の一例について、図４〜図６を参照して説明する。
【００３４】
まず、図４（ａ）に示すように、抵抗体１の材料となる金属製のプレートＰを準備する。このプレートＰは、抵抗体１を複数個取り可能な縦横のサイズを有するものであり、全体にわたって厚みの均一化が図られたものである。同図（ｂ）に示すように、このプレートＰの上向きの片面１０ｂの全体または略全体には、絶縁層２Ｂ’を形成する。この絶縁層２Ｂ’の形成は、たとえばエポキシ樹脂をベタ塗り状に厚膜印刷して行なう。この絶縁層２Ｂ’の形成後には、その表面に標印を施す工程を行なってもよい。
【００３５】
次いで、同図（ｃ）に示すように、プレートＰを表裏反転させてから、プレートＰの上向きとなった片面１０ａに、複数の絶縁層２Ａ’をストライプ状に並べるようにして形成する。これら複数の絶縁層２Ａ’の形成は、絶縁層２Ｂ’の形成に用いたのと同一の樹脂および装置を用いて厚膜印刷により行なう。このようにすれば、複数種類の材料や装置を用いる場合と比較すると、チップ抵抗器Ａ１の製造コストを削減するのに好ましい。上記厚膜印刷の手法によれば、各絶縁層２Ａ’の幅などを所定の寸法に正確に仕上げることができる。
【００３６】
プレートＰの片面１０ａのうち、複数の絶縁層２Ａ’どうしの各間には、図５（ｄ）に示すように、導電層３Ａ’を形成する。導電層３Ａ’は電極３の原型となる部分であり、その形成はたとえば銅メッキにより行なう。メッキ処理によれば、導電層３Ａ’と絶縁層２Ａ’との間に隙間を生じさせないようにして、導電層３Ａ’を均一な厚みに形成することが可能である。
【００３７】
その後は、同図（ｅ）に示すように、仮想線Ｃ１で示す箇所において、各導電層３Ａ’、プレートＰおよび絶縁層２Ｂ’を切断する。この切断位置は、具体的には、各導電層３Ａ’をその幅方向において２分割する位置であり、その切断方向は、各導電層３Ａ’や絶縁層２Ａ’が延びる方向である。この切断により、プレートＰは複数のバー状の抵抗体材料１Ａ’に分割されることとなり、ハンダ層が未形成のバー状の抵抗器集合体が形成される。このバー状の抵抗器集合体は、抵抗体材料１Ａ’の表裏いずれかの片面に、絶縁層２Ａ’および分割された帯状の導電層３Ａ’が形成され、かつその反対の面には分割された絶縁層２Ｂ’が形成されたものである。また、抵抗体材料１Ａ’は、切断面として、その長手方向に延びる一対の側面１０ｄ’を備えたものとなる。
【００３８】
次いで、図６（ｆ）に示すように、バー状の抵抗体材料１Ａ’の一対の側面１０ｄ’および各導電層３Ａ’の表面に、ハンダ層４’を形成する。このハンダ層４’の形成は、たとえばメッキ処理により行なう。抵抗体材料１Ａ’の一対の側面１０ｄ’と各導電層３Ａ’の表面とは、金属の露出面であるから、メッキ処理によれば、それらの面の全体にまんべんなく、かつ容易にハンダ層４’を形成可能である。もちろん、メッキ処理に代えて、抵抗体材料１Ａ’の各側面１０ｄ’を溶融ハンダに接触させるといった手法によりハンダ層４’を形成することもできる。このような作業により、ハンダ層４’を備えたバー状の抵抗器集合体Ａ１’が得られる。
【００３９】
その後は、図６（ｇ）に示すように、仮想線Ｃ２で示す箇所において、抵抗器集合体Ａ１’を切断する。この切断位置は、具体的には、抵抗器集合体Ａ１’の長手方向に一定間隔を隔てた複数箇所であり、その切断方向は抵抗器集合体Ａ１’の短手方向である。この切断により、バー状の抵抗体材料１Ａ’はチップ状の抵抗体１に分割される。各導電層３Ａ’、絶縁層２Ａ’，２Ｂ’、およびハンダ層４’のそれぞれは、電極３、第１および第２の絶縁層２Ａ，２Ｂ、およびハンダ層４となり、１つのバー状の抵抗器集合体Ａ１’からは複数のチップ抵抗器Ａ１が好適に製造される。
【００４０】
次に、チップ抵抗器Ａ１の作用について説明する。
【００４１】
まず、このチップ抵抗器Ａ１は、所望の実装対象領域に対し、たとえばハンダリフローの手法を用いて面実装される。このハンダリフローの手法では、実装対象領域に設けられている端子上にクリームハンダを塗布してから、その上に各電極３を接触させるようにチップ抵抗器Ａ１を載置し、これをリフロー炉で加熱する。各電極３は、第１の絶縁層２Ａよりも下方に突出しているために、各電極３の下面へのハンダ付着の確実化が図られる。
【００４２】
ハンダのリフロー時には、ハンダ層４のハンダが溶融するが、このハンダ層４の一部は、抵抗体１の端面１０ｄに形成されていたために、この端面１０ｄには、図１の仮想線で示すようなハンダフィレットＨｆが適切に形成される。したがって、このハンダフィレットＨｆを外部から確認することにより、チップ抵抗器Ａ１の実装が適切に行なわれているものと判断することができ、検査の容易化が図られる。また、抵抗体１の実装強度は、ハンダフィレットＨｆが形成されている分だけ強いものとなる。さらに、ハンダフィレットＨｆは、チップ抵抗器Ａ１への通電時に発生する熱を実装対象部材に伝える役割をも果たし、チップ抵抗器Ａ１の温度上昇抑制効果も得られることとなる。ハンダ層４は、電極３の下面にも形成されているために、電極３へのハンダ付けも確実化される。
【００４３】
上記面実装時には、ハンダが上記端子からはみ出す場合がある。ところが、抵抗体１の裏面１０ａの電極３間領域の全体は、第１の絶縁層２Ａにより覆われているために、抵抗体１の上記領域にハンダが直接付着することはない。したがって、裏面１０ａへの不当なハンダ付着に起因して抵抗値誤差が発生することはない。また、抵抗体１の表面１０ｂは第２の絶縁層２Ｂによって覆われているために、この表面１０ｂと他の部材や機器との間に不当な電気導通が生じることも防止される。
【００４４】
このチップ抵抗器Ａ１の抵抗体１は、プレートＰを切断することにより形成されているが、そのサイズについては高い寸法精度に仕上げることが可能である。抵抗体１の厚みについては、プレートＰの段階から正確に仕上げることができる。また、一対の電極３間の寸法ｓ１は、第１の絶縁層２Ａの幅と一致するが、この第１の絶縁層２Ａは厚膜印刷によってかなり高い寸法精度で形成することが可能であるから、上記寸法ｓ１も高い精度で所望の寸法に仕上げることができる。このように、抵抗体１のサイズおよび一対の電極３間の寸法ｓ１が高い精度に仕上げられていれば、このチップ抵抗器Ａ１の電極間抵抗値の誤差を非常に小さくすることが可能である。したがって、このチップ抵抗器Ａ１においては、その製造後に、抵抗値調整を行なうためのトリミングを行なう必要を無くして、その分だけコスト低減を図ることも可能となる。
【００４５】
本実施形態のチップ抵抗器Ａ１の製造に際しては、従来技術とは異なり、金属板の一部に切削加工を施すことによって一対の電極を形成するといった必要はないため、製造作業の効率も良い。したがって、チップ抵抗器Ａ１のコストをより低減することが可能である。
【００４６】
図７〜図９は、本願発明に係るチップ抵抗器の他の例を示している。図７以降の図においては、上記実施形態と同一または類似の要素には、上記実施形態と同一の符号を付している。
【００４７】
図７〜図９に示すチップ抵抗器Ａ２は、抵抗体１の一対の側面１０ｃを覆う第３の絶縁層２Ｃを備えている点において、上記実施形態のチップ抵抗器Ａ１とは相違している。このチップ抵抗器Ａ２のそれ以外の基本的な構成は、チップ抵抗器Ａ１と同様であり、その説明は省略する。
【００４８】
次に、上記のチップ抵抗器Ａ２を製造する方法の一例について、図１０および図１１を参照して説明する。
【００４９】
まず、図１０（ａ）に示すように、プレートＰの片面に複数の帯状の導電層３Ａ’と絶縁層２Ａ’とが交互に並んで形成され、かつプレートＰの反対の面の略全面に絶縁層２Ｂ’が形成されたものを製作する。この製作は、たとえば図４（ａ）〜（ｃ）および図５（ｄ）を参照して説明した手順と同様な手順で行なう。
【００５０】
次いで、図１０（ｂ）に示すように、プレートＰを各導電層３Ａ’や各絶縁層２Ａ’が延びる方向とは直交する方向に切断する。この切断により、プレートＰは、複数のバー状の抵抗体材料１Ａ’に分割される。この抵抗体材料１Ａ’の表裏いずれかの片面には、矩形状に分割された絶縁層２Ａおよび導電層３Ａ’がこの抵抗体材料１Ａ’の長手方向に交互に並んで設けられているとともに、その反対の面には、長細状に分割された絶縁層２Ｂ’が形成された構造となる。抵抗体材料１Ａ’は、その長手方向に延びる一対の側面１０ｃ’を備えたものとなる。
【００５１】
その後は、図１０（ｃ）に示すように、バー状の抵抗体材料１Ａ’の一対の側面１０ｃ’および各導電層３Ａ’の側面に、樹脂塗装を施すなどして絶縁層２Ｃ’を形成する。これにより、絶縁層２Ｃ’を備える一方、ハンダ層が未形成状態とされたバー状の抵抗器集合体Ａ２”が得られる。
【００５２】
次いで、図１１（ｄ）に示すように、抵抗器集合体Ａ２”を仮想線Ｃ３の箇所において切断する。この切断により、バー状の抵抗体材料１Ａ’はチップ状の抵抗体１に分割される。また、各導電層３Ａ’および絶縁層２Ｂ’，２Ｃ’のそれぞれは、電極３および第２および第３の絶縁層２Ｂ，２Ｃとなり、１つのバー状の抵抗器集合体Ａ２”から複数のチップ抵抗器Ａ２’が好適に製造される。ただし、このチップ抵抗器Ａ２’は、ハンダ層４が未形成のものであるから、この後このハンダ層４を形成するための処理を行なう。
【００５３】
ハンダ層４の形成は、たとえばバレルメッキにより行なう。すなわち、上記した工程により、複数のチップ抵抗器Ａ２’を製造した後には、これら複数のチップ抵抗器Ａ２’を１つのバレル内に収容し、これらに対してハンダメッキ処理を一括して施す。各チップ抵抗器Ａ２’は、抵抗体１の端面１０ｄおよび各電極３の表面が露出した金属面となっている一方、これ以外の部分は第１ないし第３の絶縁層２Ａ〜２Ｃによって適切に覆われているために、同図（ｅ）に示すように、上記した金属面部分のみに対して効率良く、かつ適切にハンダ層４を形成することが可能である。これにより、チップ抵抗器Ａ２が効率良く製造される。
【００５４】
本実施形態のチップ抵抗器Ａ２においても、先に述べたチップ抵抗器Ａ１と同様に、抵抗体１の各端面１０ｄにハンダ層４が形成されているために、面実装時には、各端面１０ｄに密着したハンダフィレットが形成されることの確実化が図られる。また、このチップ抵抗器Ａ２においては、抵抗体１の一対の側面１０ｃが第３の絶縁層２Ｃにより覆われているために、本来のハンダ接合箇所からはみ出したハンダが抵抗体１の各側面１０ｃに直接付着する虞れも無くなる。このため、各側面１０ｃにハンダが付着することに起因して、抵抗値に誤差が発生するといったことも適切に解消される。
【００５５】
本願発明は、上述した実施形態の内容に限定されない。本願発明に係るチップ抵抗器の各部の具体的な構成は、種々に設計変更自在である。同様に、本願発明に係るチップ抵抗器の製造方法の各作業工程の具体的な構成も、種々に変更自在である。
【００５６】
たとえば、チップ抵抗器を製造する場合には、図１２に示すようなフレームＦを用いることもできる。このフレームＦは、たとえば平板状の金属板を打ち抜き加工するなどして形成されたものであり、一定方向に延びた複数の板状部１Ｂと、これら複数の板状部１Ｂを支持する矩形枠状の支持部１９とを備えている。隣り合う板状部１Ｂどうしの間には、スリット１８が形成されている。支持部１９と各板状部１Ｂとの連接部１７の幅Ｗ１は、板状部１Ｂの幅Ｗ２よりも小さくされている。これは連接部１７を捩じり変形させて各板状部１Ｂを矢印Ｎ１方向に約９０度回転させることにより、各板状部１Ｂの側面１０ｃ’に対する後述のハンダ層４’を形成する作業、あるいは絶縁層２Ｃ’を形成する作業の容易化を図るのに好ましいものとなる。
【００５７】
上記したフレームＦを用いる場合には、たとえば図１３に示すように、各板状部１Ｂの片面上に、帯状の絶縁層２Ａ’と、この絶縁層２Ａ’を挟む２条の帯状の導電層３Ａ’を形成するとともに、各板状部１Ｂの一対の側面１０ｃ’にハンダ層４’を形成する（同図のクロスハッチングで示した部分が導電層３Ａ’であり、これは図１４についても同様である）。ハンダ層４’の形成に際しては、導電層３Ａ’の表面を覆うように形成してもかまわない。上記した工程により、バー状の抵抗器集合体Ａ３’が得られる。そして、この抵抗器集合体Ａ３’を仮想線Ｃ４の箇所で切断すると、複数のチップ抵抗器Ａ３が製造される。このチップ抵抗器Ａ３は、図１および図２で説明したチップ抵抗器Ａ１と同様な構成である。
【００５８】
また、上記とは異なり、たとえば図１４に示すように、フレームＦの各板状部１Ｂの片面上に複数の矩形状の絶縁層２Ａと導電層３Ａ’とを交互に形成し、かつ一対の側面１０ｃ’には絶縁層２Ｃ’を形成してもかまわない。このような工程によれば、バー状の抵抗器集合体Ａ４”が得られる。そして、この抵抗器集合体Ａ４”を仮想線Ｃ５の箇所で切断すると、複数のハンダ層未形成のチップ抵抗器Ａ４’が製造される。次いで、これらのチップ抵抗器Ａ４’の抵抗体１の両端面１０ｄにハンダをメッキすれば、図７〜図９に示したチップ抵抗器Ａ２と同様な構成のチップ抵抗器（図示略）が得られることとなる。
【００５９】
このように、本願発明においては、プレートに代えて、上記したようなフレームからチップ抵抗器を製造することが可能である。もちろん、これらプレートやフレームを用いるのではなく、単なるバー状の部材からチップ抵抗器を製造することも可能である。また、プレートから複数のチップ抵抗器を作製する場合には、プレートを切断するのに代えて、たとえば打ち抜き（ブランキング：ｂｌａｎｋｉｎｇ）  によってチップ化を図ってもかまわない。
【００６０】
むろん、本願発明に係るチップ抵抗器は、本願発明に係るチップ抵抗器の製造方法とは異なる製造方法により製造することも可能である。生産性やコストを考慮すると、電極の形成は、メッキ処理によるのが好ましいものの、これに限定されない。また、第１ないし第３の絶縁層は、厚膜印刷によるのが好ましいが、やはりこれに限定されず、たとえば接着テープを抵抗体に接着したり、あるいは液状の樹脂槽内に抵抗体を浸漬させて塗布するといった手法により形成することもできる。
【００６１】
本願発明においては、電極の具体的な数もとくに限定されるものではない。たとえば、複数対の電極を形成することにより、それらのうちの一対の電極を電流検出用に、また他の一対の電極を電圧検出用にするといったことも可能である。また、抵抗体の端面のハンダ層は、端面の全体を覆うように形成することが好ましいものの、これに限定されず、たとえば抵抗体の端面の一部にハンダ層の未形成部分が存在していてもかまわない。電極の表面にもハンダ層を積層して形成すれば、電極へのハンダ付着性が良好となり好ましいものの、この部分にハンダ層が形成されていない構成とすることもできる。本願発明に係るチップ抵抗器は、低抵抗のものとして製造するのに好適であるが、抵抗値の具体的な値も限定されない。
【図面の簡単な説明】
【図１】本願発明に係るチップ抵抗器の一例を示す斜視図である。
【図２】図１のＩＩ−ＩＩ断面図である。
【図３】図２の要部拡大断面図である。
【図４】（ａ）〜（ｃ）は、図１に示すチップ抵抗器の製造工程の一部を示す斜視図である。
【図５】（ｄ），（ｅ）は、図１に示すチップ抵抗器の製造工程の一部を示す斜視図である。
【図６】（ｆ），（ｇ）は、図１に示すチップ抵抗器の製造工程の一部を示す斜視図である。
【図７】本願発明に係るチップ抵抗器の他の例を示す斜視図である。
【図８】図７のＶＩＩＩ−ＶＩＩＩ断面図である。
【図９】図７のＩＸ−ＩＸ断面図である。
【図１０】（ａ）〜（ｃ）は、図７に示すチップ抵抗器の製造工程の一部を示す斜視図である。
【図１１】（ｄ），（ｅ）は、図７に示すチップ抵抗器の製造工程の一部を示す斜視図である。
【図１２】（ａ）は、本願発明に係るチップ抵抗器に製造に用いられるフレームの一例を示す斜視図であり、（ｂ）は、その要部平面図である。
【図１３】図１２に示すフレームを用いてチップ抵抗器を製造する方法の一例を示す要部平面図である。
【図１４】図１２に示すフレームを用いてチップ抵抗器を製造する方法の他の例を示す要部平面図である。
【図１５】従来のチップ抵抗器の一例を示す斜視図である。
【図１６】（ａ）〜（ｅ）は、従来のチップ抵抗器の製造方法の一例を示す説明図である。
【符号の説明】
Ａ〜Ａ４  チップ抵抗器
Ｆ  フレーム
Ｐ  プレート
１  抵抗体
２Ａ  第１の絶縁層
２Ａ’  絶縁層
２Ｂ  第２の絶縁層
２Ｂ’  絶縁層
２Ｃ  第３の絶縁層
２Ｃ’  絶縁層
３  電極
３Ａ’  導電層
４，４’  ハンダ層
１０ａ  裏面（抵抗体の）
１０ｂ  表面（抵抗体の）
１０ｃ  側面（抵抗体の）
１０ｄ  端面（抵抗体の）
【図１】
2004186541.tif 000003
【図２】
2004186541.tif 000004
【図３】
2004186541.tif 000005
【図４】
2004186541.tif 000006
【図５】
2004186541.tif 000007
【図６】
2004186541.tif 000008
【図７】
2004186541.tif 000009
【図８】
2004186541.tif 000010
【図９】
2004186541.tif 000011
【図１０】
2004186541.tif 000012
【図１１】
2004186541.tif 000013
【図１２】
2004186541.tif 000014
【図１３】
2004186541.tif 000015
【図１４】
2004186541.tif 000016
【図１５】
2004186541.tif 000017
【図１６】
2004186541.tif 000018